(57)【特許請求の範囲】
【請求項１】
外壁材の側端部同士を接合してなる外壁の出隅部の構造であって、
前記各外壁材の側端部には、それぞれ裏合決部が形成され、
前記裏合決部は、
前記外壁材の厚み方向の縦面を構成する見込み面部と、
前記見込み面部と直交する縦面を構成する裏面部と、を有し、
一方の外壁材の裏面部の幅寸法は、他方の外壁材の見込み面部の幅寸法よりも小さく構成され、
一方の外壁材の前記側端部の側端面は、他方の外壁材の前記裏面部に対向するように配置され、
前記側端面と前記他方の外壁材の前記裏面部の間には、角部隙間が形成され、
前記一方の外壁材の裏合決部と、前記他方の外壁材の裏合決部の間には、
両外壁材の室内側に配置される出隅接合部材の第一の縦片部であって、
前記一方の外壁材の裏合決部の裏面部、及び、前記他方の外壁材の裏合決部の見込み面部に対向する前記第一の縦片部が配設され、
前記出隅接合部材の第一の縦片部は、
前記他方の外壁材の裏合決部の裏面に当接するように配置され、
前記出隅接合部材の第二の縦片部であって前記一方の外壁材の裏面に対向する第二の縦片部と、前記外壁材の裏面と、の間には、
第二のパッキン材が配設される、
外壁の出隅部の構造。
【請求項２】
前記第一の縦片部と、前記一方の外壁材の裏合決部の裏面部の間には、
第一のパッキン材が配設される、
ことを特徴とする請求項１に記載の外壁の出隅部の構造。
【請求項３】
前記第一のパッキン材は、
前記角部隙間よりも、前記一方の外壁材の裏合決部の前記見込み面部側に配置される、
ことを特徴とする請求項２に記載の外壁の出隅部の構造。
【請求項４】
前記出隅接合部材には、前記一方の外壁材の裏合決部の見込み面部に対向する他の第三の縦片部が更に設けられ、前記第三の縦片部と前記一方の外壁材の裏合決部の見込み面部の間に第三のパッキン材が設けられる、
ことを特徴とする請求項１乃至請求項３のいずれか一項に記載の外壁の出隅部の構造。
【請求項５】
請求項１乃至請求項４のいずれか一項に記載の外壁の出隅部の構造を有する外壁材構造物であって、
少なくとも三枚の外壁材を有し、
一つの外壁材と、前記一つの外壁材の一端と直交して接合される外壁材と、の間で構成される接合角部と、
一つの外壁材と、前記一つの外壁材の他端と直交して接合される外壁材と、の間で構成される接合角部と、
において、
それぞれ、前記外壁の出隅部の構造が構成される、外壁材構造物。
【発明の詳細な説明】
【技術分野】
【０００１】
本発明は、窯業系サイディング（外壁材）にて外壁を構成するための技術に関するものであり、より詳しくは、出隅部における窯業系サイディング（外壁材）の納まりに関する。
【背景技術】
【０００２】
従来、例えば特許文献１に開示されるように、窯業系サイディングにて構成される平板状の外壁材を用いて外壁を構成する技術が知られている。この外壁材は、固定金具により柱などの躯体側に留め付けられ、縦方向、横方向に並べて配置されて一連の外壁面を構成する。
【０００３】
そして、特許文献１では、平面視略Ｌ字型のコーナー用外壁材を用いることなく、平板状の外壁材を付け合せてコーナー部（出隅部）を形成することについて記載されている。具体的には、出隅部で付け合せられる一対の外壁材について、各外壁材の端部に平面視約４５度方向のコーナー傾斜面を形成し、当該コーナー傾斜面同士を対向させることで、外壁材同士が直角となるように配置して出隅部を構成するものである。
【先行技術文献】
【特許文献】
【０００４】
【特許文献１】特開２０１１−３８３３３号公報
【発明の概要】
【発明が解決しようとする課題】
【０００５】
以上のような外壁材を用いた場合において、地震が発生した際には、外壁材が面内方向にずれることが懸念され、出隅部においては、互いに直交する関係にある一方の外壁材の端部が、他方の外壁材の端部に押し付けられる状況が生じ得る。
【０００６】
この場合、特許文献１のような構成であると、コーナー傾斜面の部位は肉厚の薄い薄肉部で構成されるため、直交する外壁材が地震で揺れた際に、揺れの方向によっては直交する外壁材に対して交差する方向へずれるため、薄肉部同士で押し合いが発生し、薄肉部の破損が発生しやすいことが懸念される。
【０００７】
また、特許文献１では、平面視約４５度方向のコーナー傾斜面同士を対向させるとともに、隙間にシーリング材を充填する構成であるため、経年によりシーリング材の劣化が生じることになる。また、地震の際に外壁材がずれた際には、シーリング材の剥がれの発生等が懸念され、止水性が悪化することが懸念される。
【０００８】
本発明は以上の問題に鑑み、外壁の出隅部について新規な構造を提案するものである。また、外壁の出隅部のみならず、外壁材を用いて袖壁や柱（門柱、ポーチ柱）などの外壁材構造物を構成する場合についても適用できる新規な構造を提案するものである。
【課題を解決するための手段】
【０００９】
本発明の解決しようとする課題は以上の如くであり、次にこの課題を解決するための手段を説明する。
【００１０】
即ち、請求項１に記載のごとく、
外壁材の側端部同士を接合してなる外壁の出隅部の構造であって、
前記各外壁材の側端部には、それぞれ裏合決部が形成され、
前記裏合決部は、
前記外壁材の厚み方向の縦面を構成する見込み面部と、
前記見込み面部と直交する縦面を構成する裏面部と、を有し、
一方の外壁材１１の裏面部１３ｅの幅寸法Ｗｅは、他方の外壁材２１の見込み面部２３ｄの幅寸法Ｗｄよりも小さく構成され、
一方の外壁材の前記側端部の側端面は、他方の外壁材の前記裏面部に対向するように配置され、
前記側端面と前記他方の外壁材の前記裏面部の間には、角部隙間が形成され、
前記一方の外壁材の裏合決部と、前記他方の外壁材の裏合決部の間には、
両外壁材の室内側に配置される出隅接合部材の第一の縦片部５１ｅであって、
前記一方の外壁材の裏合決部の裏面部１３ｅ、及び、前記他方の外壁材の裏合決部の見込み面部に対向する前記第一の縦片部５１ｅが配設され、
前記出隅接合部材の第一の縦片部５１ｅは、
前記他方の外壁材２１の裏合決部２３の裏面部２３ｅに当接するように配置され、
前記出隅接合部材の第二の縦片部５１ｃであって前記一方の外壁材１１の裏面１１ａに対向する第二の縦片部５１ｃと、前記外壁材１１の裏面１１ａと、の間には、
第二のパッキン材５１ｐが配設される、
外壁の出隅部の構造とする。
【００１１】
また、請求項２に記載のごとく、
前記第一の縦片部と、前記一方の外壁材の裏合決部の裏面部の間には、
第一のパッキン材が配設される、こととする。
【００１２】
また、請求項３に記載のごとく、
前記第一のパッキン材は、前記角部隙間よりも、前記一方の外壁材の裏合決部の前記見込み面部側に配置される、こととする。
【００１３】
また、請求項４に記載のごとく、
前記出隅接合部材には、前記一方の外壁材の裏合決部の見込み面部に対向する他の第三の縦片部が更に設けられ、前記第三の縦片部と前記一方の外壁材の裏合決部の見込み面部の間に第三のパッキン材が設けられる、こととする。
【００１４】
また、請求項５に記載のごとく、
請求項１乃至請求項４のいずれか一項に記載の外壁の出隅部の構造を有する外壁材構造物であって、
少なくとも三枚の外壁材を有し、
一つの外壁材と、前記一つの外壁材の一端と直交して接合される外壁材と、の間で構成される接合角部と、
一つの外壁材と、前記一つの外壁材の他端と直交して接合される外壁材と、の間で構成される接合角部と、
において、
それぞれ、前記外壁の出隅部の構造が構成される、外壁材構造物とする。
【発明の効果】
【００１５】
本発明の効果として、以下に示すような効果を奏する。
【００１６】
即ち、請求項１に記載の発明においては、地震発生時には、一方の外壁材の見込み面部が他方の外壁材の裏面に突き当たるため、一方の外壁材の側端部の側端面が外壁材に突き当たることがなく、肉厚が薄い側端部について損傷の発生を防止できる。また、角部隙間に浸入した水をパッキン材にて止水することができる。敢えて角部隙間を確保する構成において、他方の外壁材の見込み面部を縦片部で隠すことができ、角部隙間が目立ち難くなり、出隅部において外観上途切れのない連続性のある一連の外壁面を構成することができる。また、縦片部が裏面部に当接することによれば、縦片部と裏面部の間の隙間を生めることができ、当該隙間を通じて水が室内側に浸入してしまうことを防止でき、角部隙間を確保しつつも、止水性を高めることが可能となる。
【００１７】
また、請求項２に記載の発明においては、角部隙間に浸入した水を第一のパッキン材にて止水することができる。
【００１８】
また、請求項３に記載の発明においては、第一のパッキン材が角部隙間から奥まった位置に配置され、角部隙間からパッキン材が見えてしまうことを防止できる。
【００１９】
また、請求項４に記載の発明においては、角部隙間に浸入した水を第三のパッキン材にて止水することができる。
【００２０】
また、請求項５に記載の発明においては、外壁材を用いて構成される袖壁や柱（門柱、ポーチ柱）などの外壁材構造物についても本発明の効果を発揮させることができる。
【図面の簡単な説明】
【００２１】
【図１】本発明の一実施形態に係る外壁の出隅部の接合構造について示す水平断面図。
【図２】出隅接合部材の納まりついて示す水平断面図。
【図３】出隅接合部材の形状について示す斜視図。
【図４】（Ａ）は外壁材の側端部の形状について説明する水平断面図。（Ｂ）は外壁材が矢印Ｘ１方向にずれた状態について説明する水平断面図。
【図５】（Ａ）は外壁材の貼り方について説明する図。（Ｂ）は外壁材の接合部の構成について説明する図。（Ｃ）は外壁材の他の接合部の構成について説明する図。
【図６】横ずれ防止金具の納まりについて示す水平断面図。
【図７】横ずれ防止金具の構造について示す水平断面図。
【図８】（Ａ）は本発明の構造にて袖壁を構成する例について示す図。（Ｂ）は本発明の構造にて柱を構成する例について示す図。
【図９】袖壁の端部の部分拡大図。
【発明を実施するための形態】
【００２２】
以下図面を参照し、本発明の実施例について説明する。なお、以下の説明において、位置関係の説明において使用する「裏」の用語は建物室内に近い側を意味し、「表」の用語は建物室内から遠い側を意味するものとする。また、図１では、木造枠組壁構法（２×４（ツーバイフォー）工法）の例を用いて説明するが、本発明は、木造軸組構法等の他の構法についても適用することができる。また、出隅部への適用例を用いて説明するが、入隅部についても本発明を適用することは可能である。
【００２３】
図１は、本発明の一実施形態に係る外壁の出隅部の接合構造について示す水平断面図である。出隅部１において、躯体の一部を構成する縦枠２（スタッド）（柱体を構成する角材）には、構造用合板３，４が付設され、構造用合板３，４の表面に透湿防水シート５が貼設される。
【００２４】
構造用合板３，４の室外側には、外壁材１１，２１がその外壁面が互いに直交するように配置され、外壁材１１，２１の上縁部がそれぞれ固定金具４１，４２によって、構造用合板３，４を介して縦枠２に留め付けられる。
【００２５】
固定金具４１，４２は、外壁材１１，２１と透湿防水シート５の間に間隔を形成することで、外壁材１１，２１の裏側に通気層８を形成する。
【００２６】
外壁材１１，２１の側端部１２，２２は近接して配置され、側端部１２，２２における外壁材１１，２１の裏面側に、それぞれ裏合決部１３，２３が形成される。裏合決部１３，２３は互いに対向して配置されており、平面視において略矩形の縦溝空間３０が形成される。
【００２７】
外壁材１１，２１の側端部１２，２２が隣接する接合角部６において、外壁材１１，２１と構造用合板３，４の間には、外壁材１１，２１を接合する出隅接合部材５０（出隅ジョイナー）が配設される。
【００２８】
出隅接合部材５０は、それぞれ外壁材１１，２１の裏面１１ａ，２１ａに間隔を空けて対向する固定片部５１ａ，５２ａを有している。
【００２９】
出隅接合部材５０の固定片部５１ａ，５２ａは、スペーサー３２を介して構造用合板３，４、及び、縦枠２に留め付けられる。
【００３０】
外壁材２１の裏面２１ａと固定片部５２ａの間の空間には、外壁材２１の横ずれを防止するための横ずれ防止金具６２が配設される。
【００３１】
横ずれ防止金具６２は、出隅接合部材５０の固定片部５２ａ及びスペーサー３２を介して構造用合板４、及び、縦枠２に留め付けられる。
【００３２】
横ずれ防止金具６２は、外壁材２１の側端部２２の一部と係合する係合片部を有し、この係合片部が外壁材２１に引っかかるようにして、外壁材２１の横ずれが防止される。
【００３３】
図２及び図３は、一実施形態に係る出隅接合部材５０の詳細構成について示している。
出隅接合部材５０は、図２の紙面と直交する方向に長い長尺の部材であり、本実施形態では、一枚の金属製の板材を板金加工により折り曲げることで、それぞれ異なる機能を発揮させる複数の縦片部を形成している。
【００３４】
なお、出隅接合部材５０は、本実施形態のように、一枚の金属製の板材を板金加工することで複数の縦片部を構成することとするほか、複数の金属製の板材を組み合わせて縦片部を構成することとしてもよい。また、出隅接合部材５０は、金属製の板材にて構成するほか、高い耐候性を有する樹脂成形品にて構成することもできる。
【００３５】
図２及び図３に示すように、出隅接合部材５０は、外壁材１１の裏面１１ａに対し間隔をあけて対向する固定片部５１ａを有する。固定片部５１ａは、断面Ｌ字状のスペーサー３２を介して構造用合板３、及び、縦枠２にビス５５などの固定具にて留め付けられる。
【００３６】
固定片部５１ａにおいて、外壁材１１の側端部１２に近い側には、外壁材１１の裏面１１ａに向かって伸びる縦片部５１ｂが形成される。
【００３７】
固定片部５１ａにおいて、外壁材１１の側端部１２から遠い側には、外壁材１１の裏面１１ａに向かって伸びる縦片部５１ｆが形成され、縦片部５１ｆの端部が裏面１１ａに当接する。縦片部５１ｆは外壁材１１の裏面１１ａに当接した箇所で折り返される。
【００３８】
そして、固定片部５１ａと、縦片部５１ｂと、縦片部５１ｆによって、断面略コ字状の縦溝部５１ｇが形成される。この縦溝部５１ｇに外部から浸入した雨水などは、縦溝部５１ｇを通じて下方へと排出される。なお、縦片部５１ｆが水返し部として機能することで、縦片部５１ｆよりも奥への水の浸入が防がれるものであり、縦片部５１ｆについては、裏面１１ａに当接させない構成とすることも考えられる。
【００３９】
また、縦片部５１ｂにおいて、固定片部５１ａと反対側の端部からは、外壁材１１の側端部１２に向かって伸び、外壁材１１の裏面１１ａに対向する第二の縦片部５１ｃが形成される。
【００４０】
そして、縦片部５１ｃにはパッキン材５１ｐが貼付され、外壁材１１の裏面１１ａと縦片部５１ｃの間の隙間が第二のパッキン材５１ｐによって塞がれる。このパッキン材５１ｐにより、外部から縦溝部５１ｇ側への水の浸入を効果的に防止することができ、止水性を高めることができる。
【００４１】
また、縦片部５１ｃにおいて、縦片部５１ｂと反対側の端部には、室外側に向かって伸びる第三の縦片部５１ｄが形成される。縦片部５１ｄの室外側の端部には、縦片部５１ｃと反対側に伸びる縦片部５１ｅが形成される。
【００４２】
縦片部５１ｃと縦片部５１ｄは互いに直交し、また、縦片部５１ｄと縦片部５１ｅは互いに直交するように形成される。この内、縦片部５１ｄ，５１ｅで構成される略Ｌ字の形状が、外壁材１１の側端部１２に形成される裏合決部１３の略Ｌ字の形状に沿うように構成されている。なお、裏合決部１３は、外壁材１１の厚み方向の見込み面部１３ｄと、平面視において見込み面部１３ｄと直交する裏面部１３ｅを有し、平面視において略Ｌ字状をなすようにしている。
【００４３】
また、縦片部５１ｅにはパッキン材５１ｑが貼付されており、裏合決部１３の表面（裏面部１３ｅ）と縦片部５１ｅの間の隙間がパッキン材５１ｑによって塞がれる。このようにパッキン材５１ｑを縦片部５１ｅにも配置することにより、外部から縦溝部５１ｇ側への水の浸入を効果的に防止することができ、止水性を高めることができる。
【００４４】
また、パッキン材５１ｑに追加して、或いは、パッキン材５１ｑに代えて、裏合決部１３の見込み面部１３ｄと、縦片部５１ｄの間にパッキン材が配置されることとしてもよい。さらに、止水性を求めない場合や、見込み面部１３ｄに予めコーティングするといったことがなされる場合には、パッキン材５１ｑが配置されない構成としてもよい。
【００４５】
また、外壁材２１側の部位において、出隅接合部材５０は、外壁材２１の裏面２１ａに対し間隔をあけて対向する固定片部５２ａを有する。固定片部５２ａは、断面Ｌ字状のスペーサー３２を介して構造用合板４、及び、縦枠２にビス５５などの固定具にて留め付けられる。
【００４６】
固定片部５２ａにおいて、外壁材２１の側端部１２に近い側には、外壁材２１の裏面２１ａに向かって伸びる縦片部５２ｂが形成される。
【００４７】
固定片部５２ａにおいて、外壁材２１の側端部１２から遠い側には、外壁材２１の裏面２１ａに向かって伸びる縦片部５２ｆが形成され、縦片部５２ｆの端部が裏面２１ａに当接する。縦片部５２ｆは裏面２１ａに当接した箇所で折り返される。
【００４８】
そして、固定片部５２ａと、縦片部５２ｂと、縦片部５２ｆによって、断面略コ字状の縦溝部５２ｇが形成される。この縦溝部５２ｇに外部から浸入した雨水などは、縦溝部５２ｇを通じて下方へと排出される。なお、縦片部５２ｆが水返し部として機能することで、縦片部５２ｆよりも奥への水の浸入が防がれるものであり、縦片部５２ｆについては、裏面２１ａに当接させない構成とすることも考えられる。
【００４９】
また、縦片部５２ｂにおいて、固定片部５２ａと反対側の端部からは、外壁材２１の側端部２２に向かって伸び、外壁材２１の裏面２１ａに対向する縦片部５２ｃが形成される。縦片部５２ｃと外壁材２１の裏面２１ａの間の隙間には、後述する横ずれ防止金具６２（図６参照）の縦片部６２ｃ（図６参照）を納めることができる。縦片部５２ｃは、前述の縦片部５１ｃと重ねられるようにして設けられる。
【００５０】
そして、縦片部５２ｃにはパッキン材５２ｐが貼付され、外壁材２１の裏面２１ａと縦片部５２ｃの間の隙間がパッキン材５２ｐによって塞がれる。このパッキン材５２ｐにより、外部から縦溝部５２ｇ側への水の浸入を効果的に防止することができ、止水性を高めることができる。
【００５１】
また、縦片部５２ｃにおいて、縦片部５２ｂと反対側の端部には、室外側に向かって伸びる縦片部５２ｄが形成される。縦片部５２ｄは、前述の縦片部５１ｅと隙間無く重ねられるようにして設けられる。
【００５２】
また、縦片部５２ｄ，５１ｅは、裏合決部２３の裏面部２３ｅに当着される構成とすることで、縦片部５２ｅ，５１ｅと裏面部１３ｅの間に隙間が形成しないようにすることができ、止水性を高めることができる。また、縦片部５１ｅによって、裏合決部２３の表面（見込み面部２３ｄ）を覆い隠すことができる。
【００５３】
以上の出隅接合部材５０の室外側において外壁材１１，２１の側端部１２，２２が近接して配置され、側端部１２，２２の間に角部隙間５３が構成される。
【００５４】
そして、角部隙間５３に水が浸入した際には、パッキン材５１ｐ，５１ｑ，５２ｐによる止水性能が発揮されるとともに、仮に、パッキン材５１ｐ，５１ｑ，５２ｐを通過してしまった場合でも、縦溝部５１ｇ，５２ｇで捕捉して下方へ水を排出することができ、出隅接合部材５０を通過して外壁材１１，２１の裏面の奥まで水が浸入してしまうことを防止できる。
【００５５】
図４（Ａ）は外壁材１１，２１の側端部１２，２２の構成について示すものであり、外壁材１１の側端部１２には、最も端に配置されて見込み方向の面を形成する側端面１２ｍと、側端面１２ｍの室外側端部から外壁面１１ｂに至る平面視において傾斜面を構成するコーナー面１２ｎ（面取り部）と、側端面１２ｍの室内側端部から外壁材１１の幅方向内側へ向かう裏面部１３ｅと、裏面部１３ｅの側端面１２ｍとは反対側の端部から外壁材１１の裏面１１ａに向かう見込み面部１３ｄと、が形成されている。裏面部１３ｅと見込み面部１３ｄは平面視においてＬ字状に切り欠かれて構成され、裏合決部１３が構成される。
【００５６】
また、裏面部１３ｅの幅寸法Ｗｅは、見込み面部１３ｄの幅寸法Ｗｄよりも小さく構成される。そして、以上の外壁材１１の側端部１２の構成は、外壁材２１の側端部２２についても同様であり、裏面部２３ｅ、見込み面部２３ｄについてもそれぞれ幅寸法Ｗｅ，Ｗｄを有するものとしている。
【００５７】
また、外壁材１１の見込み面部１３ｄは外壁材２１の裏面２１ａに対向するように配置される。換言すれば、外壁材１１の側端面１２ｍは外壁材２１の裏面部２３ｅに対向するように配置される、或いは、外壁材１１の裏面１１ａが外壁材２１の見込み面部２３ｄよりも室内側に配置される。
【００５８】
そして、外壁材１１の側端部１２と外壁材２１の裏面部２３ｅの間には、所定の幅を有する角部隙間５３を確保するようにして外壁材１１，２１が施工される。
【００５９】
以上の構成により、図４（Ｂ）に示すように、地震により外壁材１１が矢印Ｘ１方向にずれた際には、見込み面部１３ｄが外壁材２１の裏面２１ａに突き当たる。
【００６０】
この際、上述した幅寸法Ｗｅ，Ｗｄの関係により、外壁材１１の側端部１２と外壁材２１の裏面部２３ｅの間の角部隙間５３は確保されるため、側端面１２ｍに近い肉厚の薄い部位が外壁材２１に突き当たることがない。
【００６１】
これにより、肉厚が薄く構成される側端部１２について、地震発生時での損傷発生を防ぐことができる。なお、図４（Ｂ）では図４（Ａ）に示す出隅接合部材５０を省略しており、実際には、見込み面部１３ｄと裏面２１ａの間には出隅接合部材５０の縦片部５１ｄ，５２ｃ（図４（Ａ））が挟まれることになり、このことによっても、角部隙間５３は確保されることになる。
【００６２】
また、図４（Ｂ）において、仮に、地震により外壁材２１が矢印Ｘ２方向にずれた場合でも、見込み面部２３ｄと裏面部１３ｅの間に十分な幅の隙間Ｓｘが形成されるため、見込み面部２３ｄが裏面部１３ｅに突き当たり、外壁材１１の側端部１２が損傷してしまうことを防止できる。なお、外壁材２１の矢印Ｘ２方向へのずれについては、後述する横ずれ防止金具６２（図６及び図７参照）によって防止される。
【００６３】
また、図４（Ａ）に示すように、角部隙間５３が目立たないように、角部隙間５３の内側に位置する出隅接合部材５０の縦片部５１ｅの部位は、外壁材１１の外壁面１１ｂと同一色、或いは、同系色としつつ、縦片部５１ｅの先端部５１ｓが裏合決部２３の裏面部２３ｅに当接する、或いは、近接することとすることが好ましい。
【００６４】
これにより、敢えて角部隙間５３を確保して外壁材１１の側端部１２の損傷発生を防止する構成において、角部隙間５３を目立ち難くすることができ、出隅部１において外観上途切れのない連続性のある一連の外壁面を構成することができる。
【００６５】
加えて、縦片部５１ｅの先端部５１ｓが裏合決部２３の裏面部２３ｅに当接することで、先端部５１ｓと裏面部２３ｅの間の隙間を生めることができ、当該隙間を通じて水が室内側に浸入してしまうことを防止でき、角部隙間５３を確保しつつも、止水性を高めることが可能となる。
【００６６】
さらに、図４（Ａ）に示すように、外壁材１１,２１の側端部１２,２２において、一定の幅を有するコーナー面１２ｎ,２２ｎ（面取り部）を形成することで、当該コーナー面１２ｎ,２２ｎについて、外壁面１１ｂ,２１ｂと同一の塗装を施すことが可能となる。なお、コーナー面１２ｎ,２２ｎの幅Ｗｎは、側端面１２ｍ,２２ｍの幅Ｗｍよりも広く構成する（例えば、２倍以上とする）ことで、コーナー面１２ｎ,２２ｎについて外壁面１１ｂ,２１ｂと同一の塗装が施しやすいものとなる。
【００６７】
以上のようにして、外壁面１１ｂ,２１ｂ、及び、コーナー面１２ｎ,２２ｎにおいて一連の連続した塗装による外観が構成され、角部隙間５３を目立ち難くすることができ、出隅部１において外観上途切れのない連続性のある一連の外壁面を構成することができる。
【００６８】
なお、図４（Ａ）において、側端面１２ｍ,２２ｍについては、コーナー面１２ｎ,２２ｎと同様に外壁面１１ｂ,２１ｂと同一の塗装を施すこととしてもよく、或いは、外壁面１１ｂ,２１ｂとは異なる単一の塗装を施すこととしてもよい。
【００６９】
次に、外壁材の貼り方に関する内容について説明する。
図５（Ａ）に示すように、出隅部１に用いられる出隅部用外壁材１Ｄについては、その横幅方向Ｗの両側の側端部１２，２２について、それぞれ裏合決部１３，２３が形成されることとする。また、出隅部以外の一般部については、その横幅方向Ｗの両側の側端部１６ａ，１６ｂに裏合決部１７ａ，１７ｂが形成される両側裏合決外壁材１６と、その横幅方向Ｗの方側の側端部１８ａにのみ裏合決部１９ａが形成される一般部外壁材１８が用いられる。
【００７０】
そして、図５（Ａ）に示すように、出隅部用外壁材１Ｄを二つに切断して外壁材１１，２１とし、両者を直交して配置することで出隅部１を構成することができる。
【００７１】
また、外壁材１１の右隣に両側裏合決外壁材１６を配置し、両側裏合決外壁材１６に右隣に一般部外壁材１８を配置する。一般部外壁材１８を複数配置して一連の外壁面を形成する。そして、出隅部１と反対側の角部においても同様に出隅部用外壁材１Ｄを切断して用いることで、出隅部１Ａを構成することができる。
【００７２】
ここで、全体面幅Ｗｚの寸法調整は、切断後の外壁材１１の切断側をさらに切断することや、一般部外壁材１８の側端部１９ｂ側を切断することで行うことができる。
【００７３】
また、図５（Ｂ），（Ｃ）にそれぞれ示されるように、外壁材１１と両側裏合決外壁材１６の間の接合部Ｓａ（図５（Ｂ））、及び、外壁材１６，１８の間の接合部Ｓｂ（図５（Ｃ））においては、隣り合う一方の外壁材にのみ裏合決部１７ｂ，１９ａが形成されており、この裏合決部１７ｂ，１９ａに接合役物９の止水部９ａを挿入することで、シーリング材無しに止水性を確保する乾式目地が構成される。
【００７４】
また、上述した調整を施工現場において適宜行うことにより、縦枠２（柱）の芯２ａに接合役物９を配置することで、接合部Ｓａ，Ｓｂを芯２ａと一致させる芯納まりによる外壁材の設置が可能となる。なお、図５（Ｂ），（Ｃ）に示されるように、接合役物９は適宜反転して用いることで、接合部Ｓａ，Ｓｂにおいて共通のものを使用することができる。
【００７５】
以上のようにして、図５（Ａ）に示すように、
或る出隅部１において用いる外壁材について、横幅方向Ｗの両側の側端部１２，２２に裏合決部１３，２３が形成される出隅部用外壁材１Ｄを二つに切断して直交配置してなる外壁材１１,２１を用いて出隅部１を構成し、
出隅部以外の一般部については、その横幅方向Ｗの両側の側端部１６ａ，１６ｂに裏合決部１７ａ，１７ｂが形成される両側裏合決外壁材１６と、
その横幅方向Ｗの方側の側端部１８ａにのみ裏合決部１９ａが形成される一般部外壁材１８を用い、
一般部外壁材１８を切断して外壁面の全体面幅Ｗｚを調整する、
又は、
切断後の出隅部用外壁材１Ｄをさらに切断して外壁面の全体面幅Ｗｚを調整する、といったことが可能となる。
【００７６】
次に、図６及び図７を用い横ずれ防止金具６２について説明する。
図６は横ずれ防止金具６２の納まりについて示す水平断面図であり、図７は横ずれ防止金具６２の構造について示す斜視図である。
【００７７】
図６及び図７に示すように、横ずれ防止金具６２は、本実施例の金属製の板材を板金加工により折り曲げることで構成され、それぞれ異なる機能を発揮させる複数の縦片部を有している。
【００７８】
横ずれ防止金具６２は、躯体の一部を構成する構造用合板４にスペーサー３２を介して固定され、外壁材２１の裏面２１ａに対向する固定片部６２ａを有している。固定片部６２ａには、その厚み方向に貫通する貫通孔６２ｋが複数個所に設けられており、この貫通孔６２ｋにビスや釘などの固定具６３が差し込まれ、構造用合板４や縦枠２（スタッド）に対して横ずれ防止金具６２が留め付けられる。
【００７９】
固定片部６２ａにおいて、外壁材２１の側端部２２側の端部には、外壁材２１の裏面２１ａに向かって伸びる縦片部６２ｂが形成され、縦片部６２ｂの端部が裏面２１ａに当接する。
【００８０】
また、縦片部６２ｂにおいて、固定片部６２ａと反対側の端部からは、外壁材２１の側端部２２に向かって伸び、外壁材２１の裏面２１ａに対向する縦片部６２ｃが形成される。
【００８１】
そして、縦片部６２ｃにおいて、縦片部６２ｂと反対側の端部には、室外側に向かって伸びる係合片部６２ｄが形成される。この係合片部６２ｄは、外壁材２１の側端部２２に形成される裏合決部２３の見込み面部２３ｄ（奥行き方向の面）に対向し、見込み面部２３ｄに当接することで、外壁材２１の矢印Ｘ２軸方向の横ずれを防止する機能を果たす。
【００８２】
仮に、係合片部６２ｄが存在しない場合には、地震の際に縦枠２が傾いて外壁材２１が縦枠２からずれたとして、地震の揺れがおさまって縦枠２が直立に復帰したとしても、縦枠２と外壁材２１のずれが残ったままとなってしまう。係合片部６２ｄが存在することで縦枠２の復帰とともに外壁材２１も元の状態に戻すことができるものとなる。
【００８３】
また、固定片部６２ａにおいて、外壁材２１の側端部２２から遠い側には、外壁材２１の裏面２１ａに向かって伸びる縦片部６２ｆが形成される。
【００８４】
また、横ずれ防止金具６２の固定片部６２ａ、縦片部６２ｂ，６２ｆ、及び、縦片部６２ｃの一部は、出隅接合部材５０の縦溝部５２ｇの内側に納められる。これにより、図１に示すように、共に外壁材２１の上縁部に配置される固定金具４１と横ずれ防止金具６２を横方向に並べて配置することができる。
【００８５】
以上のようにして本発明を実施することができる。
即ち、図４（Ａ）（Ｂ）に示すように、外壁材１１,２１の側端部１２,２１同士を接合してなる外壁の出隅部１の構造であって、各外壁材１１,２１の側端部１２,２１には、それぞれ裏合決部１３,２３が形成され、裏合決部１３,２３は、平面視において外壁材の厚み方向の縦面を構成する見込み面部１３ｄ,２３ｄと、平面視において見込み面部１３ｄ,２３ｄと直交する縦面を構成する裏面部１３ｅ,２３ｅと、を有し、裏面部１３ｅ,２３ｅの幅寸法Ｗｅは、見込み面部１３ｄ,２３ｄの幅寸法Ｗｄよりも小さく構成され、一方の外壁材１１の側端部１２の側端面１２ｍは、他方の外壁材２１の裏面部２３ｅに対向するように配置され、側端面１２ｍと他方の外壁材２１の裏面部２３ｅの間には、角部隙間５３が形成される、外壁の出隅部の構造とする。
【００８６】
これにより、地震発生時には、一方の外壁材１１の見込み面部１３ｄが他方の外壁材２１の裏面２１ａに突き当たるため、一方の外壁材１１の側端部１２の側端面１２ｍが外壁材２１に突き当たることがなく、肉厚が薄い側端部１２について損傷の発生を防止できる。
【００８７】
また、図２に示すように、一方の外壁材１１の裏合決部１３と、他方の外壁材２１の裏合決部２３の間には、両外壁材１１,２１の室内側に配置される出隅接合部材５０の第一の縦片部５１ｅが配設され、縦片部５１ｅと、一方の外壁材１１の裏合決部１３の裏面部１３ｅの間には、パッキン材５１ｑが配設されることとする。また、パッキン材５１ｑに加え、又は、パッキン材５１ｑに代えて、縦片部５１ｄと、一方の外壁材１１の裏合決部１３の見込み面部１３ｄの間に、別の第三のパッキン材を配設することとしてもよい。
【００８８】
これにより、角部隙間５３に浸入した水をパッキン材５１ｑにて止水することができる。
【００８９】
また、図４（Ａ）に示すように、
出隅接合部材５０の縦片部５１ｅは、外壁材２１の裏合決部２３の裏面部２３ｅに当接する、又は、近接して配置される、こととする。なお、縦片部５１ｅは、外壁材１１の外壁面１１ｂと同一色、或いは、同系色とすることが好ましい。
【００９０】
これにより、敢えて角部隙間５３を確保する構成において、他方の外壁材２１の見込み面部２３ｄを縦片部５１ｅで隠すことができ、角部隙間５３が目立ち難くなり、出隅部１において外観上途切れのない連続性のある一連の外壁面を構成することができる。また、縦片部５１ｅが裏面部２３ｅに当接することによれば、縦片部５１ｅと裏面部２３ｅの間の隙間を生めることができ、当該隙間を通じて水が室内側に浸入してしまうことを防止でき、角部隙間５３を確保しつつも、止水性を高めることが可能となる。
【００９１】
また、図２、図４（Ａ）に示すように、パッキン材５１ｑは、角部隙間５３よりも、外壁材１１の裏合決部１３の見込み面部１３ｄ側に配置されることとする。
【００９２】
これにより、パッキン材５１ｑが角部隙間５３から奥まった位置に配置され、角部隙間５３からパッキン材５１ｑが見えてしまうことを防止できる。
【００９３】
さらに、以上に説明した構成は、図８（Ａ）に示すように袖壁１００を構成する場合や、図８（Ｂ）に示すように柱２００（門柱、ポーチ柱）などの外壁材構造物を構成する場合に適用することができる。なお、図８（Ａ）（Ｂ）では、パッキン材等の内部構造を一部省略した概略構造が示されている。
【００９４】
図９は、図８（Ａ）の袖壁１００の端部の部分拡大図であり、袖壁１００において、躯体の一部を構成する縦枠２（スタッド）（柱体を構成する角材）の両側には、構造用合板３，３が付設され、構造用合板３，３の表面に透湿防水シート５が貼設される。
【００９５】
構造用合板３，３は縦枠２を挟んで平行に配置され、構造用合板３，３の外側に外壁材１１，１１’が配設される。外壁材１１，１１’の上縁部は、それぞれ固定金具４１，４２を介して構造用合板３，３に対して固定される。
【００９６】
固定金具４１，４２は、外壁材１１，１１’と透湿防水シート５の間に間隔を形成することで、外壁材１１，１１’の裏側に通気層８を形成する。
【００９７】
外壁材１１，１１’の側端部１２，１２’は、縦枠２の位置より一側方向に突出され、側端部１２，１２’の両端部の間の開口を塞ぐように外壁材２１が配設される。外壁材２１は、固定金具４３を介して縦枠２に固定される。
【００９８】
外壁材１１の側端部１２と、外壁材２１の一方の側端部２２（図において右側の側端部）は、互いに隣接して配置され、接合角部６Ａが構成される。側端部１２，２２の裏面側には、それぞれ裏合決部１３，２３が形成されており、裏合決部１３，２３が互いに対向して配置され、平面視において略矩形の縦溝空間３０が形成される。
【００９９】
接合角部６Ａにおいて、外壁材１１，２１の裏側には、外壁材１１，２１を接合する出隅接合部材５０（出隅ジョイナー）が配設される。出隅接合部材５０の構造は、図３に示すものと同様の構造を有してなるものである。
【０１００】
出隅接合部材５０は、スペーサー３２を介して構造用合板３や縦枠２に留め付けられ、出隅接合部材５０にて、外壁材１１，２１の側端部１２，２２の位置決めや、外壁材の裏側への水の浸入の防止や、排水が行われる。
【０１０１】
また、接合角部６Ａにおいて、出隅接合部材５０の一部を構成する縦片部５１ｅが、一方の外壁材１１の裏合決部１３と、他方の外壁材２１の裏合決部２３の間の縦溝空間３０内に配設される。
【０１０２】
この接合角部６Ａの構成は、もう一方の外壁材１１’と外壁材１２の接合角部分６Ｂにおいても同様に実現される。
【０１０３】
そして、接合角部６Ａ，６Ｂにおいても、上述した出隅部と同様の構成が実現される。即ち、図４（Ａ）（Ｂ）に示されるように、各外壁材１１,２１の側端部１２,２１には、それぞれ裏合決部１３,２３が形成され、裏合決部１３,２３は、平面視において外壁材の厚み方向の縦面を構成する見込み面部１３ｄ,２３ｄと、平面視において見込み面部１３ｄ,２３ｄと直交する縦面を構成する裏面部１３ｅ,２３ｅと、を有し、裏面部１３ｅ,２３ｅの幅寸法Ｗｅは、見込み面部１３ｄ,２３ｄの幅寸法Ｗｄよりも小さく構成され、一方の外壁材１１の側端部１２の側端面１２ｍは、他方の外壁材２１の裏面部２３ｅに対向するように配置され、側端面１２ｍと他方の外壁材２１の裏面部２３ｅの間には、角部隙間５３が形成される、構成が実現されることとする。
【０１０４】
これにより、地震発生時には、一方の外壁材１１の見込み面部１３ｄが他方の外壁材２１の裏面２１ａに突き当たるため、一方の外壁材１１の側端部１２の側端面１２ｍが外壁材２１に突き当たることがなく、肉厚が薄い側端部１２について損傷の発生を防止できる。
【０１０５】
そして、以上の構成により、次の構成が実現される。
即ち、図８（Ａ）及び図９に示すように、外壁材を用いて構成される袖壁１００（外壁材構造物）において、
少なくとも三枚の外壁材を有し、
一つの外壁材２１と、一つの外壁材２１の一端と直交して接合される外壁材１１と、の間で構成される接合角部６Ａと、
一つの外壁材２１と、一つの外壁材２１の他端と直交して接合される外壁材１１’と、の間で構成される接合角部６Ｂと、
において、本発明の出隅部の構造が構成されるものとしている。
【０１０６】
また、図８（Ｂ）に示すように、外壁材を用いて構成される門柱などの柱２００（外壁材構造物）において、
少なくとも三枚の外壁材を有し、
一つの外壁材２１と、一つの外壁材２１の一端と直交して接合される外壁材１１と、の間で構成される接合角部６Ａと、
一つの外壁材２１と、一つの外壁材２１の他端と直交して接合される外壁材１１’と、の間で構成される接合角部６Ｂと、
において、本発明の出隅部の構造が構成されるものとしている。
【０１０７】
なお、この柱２００では、合計４枚の外壁材を平面視で方形状をなす様に配置することで、合計４箇所に接合角部６Ａ〜６Ｄが現れることになる。
【０１０８】
以上のように、本発明は、２枚の外壁材を直交配置してなる出隅部のみならず、外壁材を用いて構成される袖壁や柱（門柱、ポーチ柱）などの外壁材構造物についても幅広く適用することができる。
【０１０９】
そして、この構造によれば、例えば、図８（Ａ）の構成であれば、二つの外壁材１１，１１‘の間の空間を蓋をするように外壁材２１を施工することが可能であり、これにより、躯体の一部を構成する縦枠２や、外壁材１１，１１‘の施工の精度が悪く、これらの他の部材に施工のやり直しが必要になる場合があっても、柔軟に対応することができる。つまり、外壁材２１のみの取り付け、取り外しが可能な構成であるため、施工性に優れた構成が実現できる。
【０１１０】
また、例えば、図８（Ａ）の構成であれば、袖壁端部において特に目立ちやすい外壁材２１に縦目地が存在せず、袖壁１００の正面に縦目地の存在しない意匠性の高い納まりが実現できる。このように、外壁材２１は、袖壁１００の正面を構成するための袖壁用サイディング（袖壁用外壁材）として好適に適用することができる。
【０１１１】
また、図８（Ａ）（Ｂ）の構成において使用する出隅接合部材５０について、例えば、肉厚を厚くするなどして出隅接合部材５０の剛性を向上させることで、図６及び図７に示す横ずれ防止金具６２の機能を、出隅接合部材５０にて担保させることが可能となる。
【０１１２】
即ち、図４（Ａ）に示すように、出隅接合部材５０の縦片部５１ｅを裏合決部２３の見込み面部２３ｄに当接させることで、外壁材２１の矢印Ｘ２軸方向の横ずれを防止するものである。
【０１１３】
このように、出隅接合部材５０（縦片部５１ｅ）の剛性を向上させることにより、出隅接合部材５０によって外壁材２１の横ずれ防止をすることは、図１、図２に示す出隅部の構造においても同様に適用することができる。即ち、図１において、横ずれ防止金具６２の使用を省略し、出隅接合部材５０によって外壁材２１の横ずれ防止を図るものである。なお、剛性を向上した出隅接合部材５０（縦片部５１ｅ）と、横ずれ防止金具６２を併用することも当然に可能である。
【産業上の利用可能性】
【０１１４】
本発明の構成は、窯業サイディングなどの板状の外壁材を用いる場合において、出隅部を構成する場合に広く適用することができる。
【符号の説明】
【０１１５】
１    出隅部
１Ａ    出隅部
１１    外壁材
１２    側端部
１２    側端部
１２ｍ    側端面
１３    裏合決部
１３ｄ    見込み面部
１３ｅ    裏面部
２１    外壁材
２２    側端部
２３    裏合決部
２３ｅ    裏面部
５０    出隅接合部材
５１ｅ    縦片部
５１ｑ    パッキン材
Ｗｄ    幅寸法
Ｗｅ    幅寸法
【図１】
0006534174.tif 000002
【図２】
0006534174.tif 000003
【図３】
0006534174.tif 000004
【図４】
0006534174.tif 000005
【図５】
0006534174.tif 000006
【図６】
0006534174.tif 000007
【図７】
0006534174.tif 000008
【図８】
0006534174.tif 000009
【図９】
0006534174.tif 000010